(57)【特許請求の範囲】
【請求項１】
ゴーグル枠と、前記ゴーグル枠の内周部に形成された溝と、前記溝を構成する前後壁に対向する通気用の開口と、前記溝に着脱自在に嵌め込まれて後壁の開口を塞ぐゴーグルレンズと前記溝に着脱自在に嵌め込まれて前後壁の開口相互を連通させるゴーグルレンズのいずれかのゴーグルレンズとからなり、開口を塞ぐゴーグルレンズと開口相互を連通させるゴーグルレンズのいずれをも前記溝に着脱自在に嵌め込んで装着できるようにしてあることを特徴とするゴーグル。
【請求項２】
前後壁の開口相互を連通させるゴーグルレンズは、開口と対応する部分に切欠を形成して成るものとしてあることを特徴とする請求項１記載のゴーグル。
【請求項３】
前後壁の開口相互を連通させるゴーグルレンズは、切欠の大きさを変えた複数種類のゴーグルレンズを具備させてあり、ゴーグル枠の溝に嵌め込むゴーグルレンズの種類をかえることにより、ゴーグルレンズの内側への空気流入量を変え得るようにしてあることを特徴とする請求項２記載のゴーグル。
【請求項４】
前壁側の開口は、複数の桟を有する孔から成ることを特徴とする請求項１乃至３のいずれかに記載のゴーグル。
【請求項５】
前壁側の開口は、フィルタで覆われていることを特徴とする請求項１乃至３のいずれかに記載のゴーグル。
【発明の詳細な説明】
【０００１】
【発明の属する技術分野】
この発明は、ゴーグル、特にスキーやスノーボートをするときに使用するゴーグルに関するものである。
【０００２】
【従来の技術】
この種のゴーグルには、スキーヤーの体温、発汗作用等によるゴーグルレンズ内面の曇りを防止すべくベンチレーション部を設けてあり、滑走中における視界不良による事故を回避できるようにしてある。
【０００３】
前記ベンチレーション部としては、例えばゴーグル枠に嵌め込まれたゴーグルレンズ上部に設けられている孔から空気を流入させる形式のものもあるが、この形態では、▲１▼ベンチレーション部を設けた分だけ視界が狭くなるという問題があり、また、▲２▼スキー等の低中速の滑走では防曇効果が向上するが、滑降競技やジャンプ競技のように高速度下で使用した場合には、ゴーグルレンズ上部に設けた孔から空気が大量に且つ高速度で流入して目が痛くなる等の問題がある。
【０００４】
したがって、スキーヤー等は、ゴーグル枠を大きくすることなく広い視界を確保でき且つベンチレーション部からの空気の流入量を容易に変えることができるゴーグルが開発されることを待ち望んでいる。
【０００５】
【発明が解決しようとする課題】
そこで、この発明では、ゴーグル枠を大きくすることなく広い視界を確保でき且つベンチレーション部からの空気の流入量を容易に変えることができるゴーグルを提供することを課題する。
【０００６】
【課題を解決するための手段】
（請求項１記載の発明）
この発明は、ゴーグル枠と、前記ゴーグル枠の内周部に形成された溝に着脱自在に嵌め込まれるゴーグルレンズとを具備するゴーグルにおいて、ゴーグル枠の溝を構成する前後壁に、対向する通気用の開口を設けてあり、後壁の開口を塞ぐゴーグルレンズ又は前後壁の開口相互を連通させるゴーグルレンズのいずれをも装着できるようにしてある。
（請求項２記載の発明）
この発明のゴーグルは、上記請求項１記載の発明に関し、前後壁の開口相互を連通させるゴーグルレンズは、開口と対応する部分に切欠を形成して成るものとしてある。
（請求項３記載の発明）
この発明のゴーグルは、上記請求項１又は２記載の発明に関し、切欠の大きさを変えた複数種類のゴーグルレンズを具備させてあり、ゴーグル枠の溝に嵌め込むゴーグルレンズの種類をかえることにより、ゴーグルレンズの内側への空気流入量を変え得るようにしてある。
（請求項４記載の発明）
この発明のゴーグルは、上記請求項１乃至３のいずれかに記載の発明に関し、前壁側の開口は、複数の桟を有する孔から成るものとしている。
（請求項５記載の発明）
この発明のゴーグルは、上記請求項１乃至３のいずれかに記載の発明に関し、前壁側の開口は、フィルタで覆われている。
【０００７】
なお、上記した発明のゴーグルの機能については以下の発明の実施の形態の欄で説明する。
【０００８】
【発明の実施の形態】
以下、この発明を実施形態として示した図面に従って説明する。
（実施形態１）
図１はスキー用のゴーグルＧの斜視図である、図２は前記ゴーグルＧのゴーグル枠１の正面図である。
【０００９】
このゴーグルＧは、図１や図２に示すように、ゴーグル枠１と、前記ゴーグル枠１の左右部に設けられたアーム２と、前記ゴーグル枠１に連結された伸縮弾性バンド３と、ゴーグル枠１に着脱自在に嵌着されたゴーグルレンズ４とを具備している。
【００１０】
以下に、このゴーグルＧの各構成について詳述する。
〔ゴーグル枠１について〕
ゴーグル枠１は弾性合成樹脂、ゴム等の軟質材から成り、図１、図３や図７に示すように、レンズ嵌込縁1aと、顔面当座1bと、前記レンズ嵌込縁1aと顔面当座1bとを連絡する周壁部1cとから成り、レンズ嵌込縁1aにはゴーグルレンズ４が着脱自在に嵌め込まれている。
【００１１】
レンズ嵌込縁1aは、図６に示すように、ゴーグルレンズ４の外周縁が嵌まり込む溝10を設けてあり、前記溝10を構成する前後壁11, 12には、対向する通気用の開口13, 14を設けている。なお、この実施形態では図２や図７に示すように、前壁11の開口13は正面視楕円形状に形成すると共に縦格子を有するものとしてあり、後壁12の開口14は切欠により構成してある。
【００１２】
ここで、上記溝10内には、図２に示すように、ゴーグルレンズ４の位置決めをし且つ抜け止めをする突起15, 16を形成してある。
【００１３】
顔面当座1bには、図１や図３に示すように、顔面との密接を良好なものとするためのスポンジ、モントプレーン等の密接用材17が貼着されている。
【００１４】
周壁部1cには、図１〜図３に示すように、上下部構成壁に複数の孔を設けて成るベンチレーション部18，19を形成してあり、前記ベンチレーション部18，19を厚みが薄いスポンジ板S1，S2により閉蓋するようにしてある。なお、ベンチレーション部18，19をスポンジ板S1，S2により閉蓋してあるのは空気以外の雪やゴミがゴーグル内部に侵入しないようにするためである。
〔アーム２について〕
アーム２は上記ゴーグル枠１と一体成形して成るもので、図２〜図４に示すように、レンズ嵌込縁1a前面の左右部分の形状に対応させて形成されていると共にこれの一方の端部20がレンズ嵌込縁1aの上枠部の前面から、他方の端部21がレンズ嵌込縁1aの下枠部の前面から、それぞれ突出するものとしてある。そして、静置状態においてアーム２は、レンズ嵌込縁1aにおける上下枠部の前面とほぼ添う態様で配置されたものとしてあり、図２に示すように、アーム２が前面視でゴーグル枠１内を遮らないようにしてある。
【００１５】
また、このアーム２では、この自由端となる部分を伸縮弾性ベルト３の取り付け位置としてあり、具体的には図２や図３に示す芯棒22に伸縮弾性バンド３端部の円筒部が外挿される態様で、伸縮弾性バンド３はアーム２に取り付けられている。
〔伸縮弾性バンド３について〕
伸縮弾性バンド３は、バンド主体30，30は伸縮自在に構成したものを使用しており、図１に示すように、アーム２に取り付けたバンド主体30, 30相互をバックル31を介して結合できるようにしてある。
〔ゴーグルレンズ４について〕
ゴーグルレンズ４は、合成樹脂板（セルロースプロピオネート、トリアセテート、ポリカーボネート等）で構成してあり、耐傷性に優れていると共に紫外線がほぼ完全にカットできるようにしてあり、更に内面には防曇処理を施してある。
【００１６】
この実施形態のゴーグルＧでは、図５の太線で示した競技用のゴーグルレンズ4aと、図６の太線で示した一般用のゴーグルレンズ4bを備えている。
【００１７】
ゴーグルレンズ4aは、図５の太線が外形を示しており、レンズ嵌込縁1aの溝10に嵌め込んだ状態では、図５や図７に示すように、後壁12の開口14は塞がれた状態となっている。
【００１８】
ゴーグルレンズ4bは、図６の太線が外形を示しており、外周縁であって開口13, 14と対応する位置に切欠40を形成してある。したがって、レンズ嵌込縁1aの溝10に嵌め込んだ状態では、図６や図８に示すように、前後壁11, 12の開口13, 14相互が切欠40を介して連通した状態となっている。
【００１９】
ゴーグルレンズ4a，4bは、図５や図６に示すように共に上記した突起15, 16と嵌合する凹み部41, 42を設けてあり、突起15, 16と凹み部41, 42との係止力により定位置にしっかりとゴーグル枠１に固定されるようになっている。
〔このゴーグルの機能について〕
▲１▼  競技用のゴーグルレンズ4aをセットした場合
この場合には、上述したように後壁12の開口14はゴーグルレンズ４により塞がれた状態となるから、ゴーグルレンズ４の内側への空気流入量は少なくなり、目に対する風の影響を軽減することができる。
▲２▼  一般用のゴーグルレンズ4bをセットした場合
この場合には、上述したように前後壁11, 12の開口13, 14相互が連通した状態となるから、ゴーグルレンズ４の内側への空気流入量は多くなり、防曇効果が向上することになる。
▲３▼  この実施形態のゴーグルはゴーグル枠１の枠自体にベンチレーション部を形成するものであり、従来の技術の欄に示したようなゴーグル枠１の枠内にベンチレーション部を設けるものではないから、視界が狭くなることはない。
（他の実施形態）
上記実施形態１におけるゴーグルレンズ4a，4b以外に、切欠40の切り込み量をゴーグルレンズ4bよりも少し小さくしたゴーグルレンズ4cを具備させるようにしてもよい。このゴーグルレンズ4cをゴーグル枠１にセットすると、ゴーグルレンズ４の内側への空気流入量はゴーグルレンズ4a，4bの場合の中程に設定できる。
【００２０】
また、上記実施形態１における開口13をフィルタとしてのスポンジ板により閉蓋するようにしてもよい。
【００２１】
さらに、上記実施形態１における前壁11の開口13及び後壁12の開口14の形態は自由に選択できる。
【００２２】
そして、この発明のゴーグルは、スキー用ゴーグルに限定されるものではなく、他の用途のゴーグル、例えば防塵用ゴーグル、寒冷地用ゴーグル等も含まれる。
【００２３】
【発明の効果】
この発明は上記のような構成であるから次の効果を有する。
【００２４】
発明の実施の形態の欄から明らかなように、ゴーグル枠を大きくすることなく広い視界を確保でき且つベンチレーション部からの空気の流入量を容易に変えることができるゴーグルを提供できた。
【図面の簡単な説明】
【図１】この発明の実施形態のゴーグルの斜視図。
【図２】前記ゴーグルの正面図。
【図３】前記ゴーグルの上面図。
【図４】前記ゴーグルの下面図。
【図５】前記ゴーグルにおけるゴーグル枠に競技用のゴーグルレンズをセットした状態を示す正面図。
【図６】前記ゴーグルにおけるゴーグル枠に一般用のゴーグルレンズをセットした状態を示す正面図。
【図７】前記ゴーグルにおけるゴーグル枠に競技用のゴーグルレンズをセットした状態の空気流を示す断面図。
【図８】前記ゴーグルにおけるゴーグル枠に一般用のゴーグルレンズをセットした状態の空気流を示す断面図。
【符号の説明】
Ｇ        ゴーグル
１        ゴーグル枠
２        アーム
３        伸縮弾性バンド
４        ゴーグルレンズ
10        溝
11        前壁
12        後壁
13        開口
14        開口
40        切欠
【図１】
0004337071.tif 000002
【図２】
0004337071.tif 000003
【図３】
0004337071.tif 000004
【図４】
0004337071.tif 000005
【図５】
0004337071.tif 000006
【図６】
0004337071.tif 000007
【図７】
0004337071.tif 000008
【図８】
0004337071.tif 000009